(57)【要約】  【課題】天板上から収納物を出し入れすることができるようにして使い勝手を良好なものとし得るとともに、蓋体の一縁を取り付けた状態で収納物出入口を開放できるようにする。  【解決手段】第１のボックス本体要素５と蓋体４間に、蓋体４を閉止位置に保持する第１、第２の保持機構８Ａ、８Ｂを設け、これら第１、第２の保持機構８Ａ、８Ｂが、蓋体４が第１のボックス本体要素５の前後縁部５ａ、５ｂに対して両開き可能となるように、何れか一方側の保持機構の保持状態を解除した場合に、他方の保持機構により蓋体４を開閉可能に支持するものとした。  【選択図】図８
2004298657.tif 000002
【特許請求の範囲】
【請求項１】
天板が有する開口部に設けた収納物出入口を閉止する位置に蓋体を装着するための構造であって、
収納物出入口と蓋体間の対向両縁部近傍に、蓋体を閉止位置に保持する第１、第２の保持機構を設け、これら第１、第２の保持機構が、蓋体が収納物出入口の対向両縁部に対して両開き可能となるように、何れか一方側の保持機構の保持状態を解除した場合に、他方の保持機構により蓋体を開閉可能に支持することを特徴とする蓋体の装着の構造。
【請求項２】
第１、第２の保持機構が、収納物出入口と蓋体の何れか一方側の対向両縁部近傍から突出した軸部と、他方側に設けてなり前記軸部を選択的に回転可能に支持する支持部とを具備してなり、前記支持部が、前記軸部を回転可能に支持する軸支持部分と、部材の弾性変形を利用して前記軸部を軸支持部分に挿入可能とするための切欠部分とを具備してなることを特徴とする請求項１記載の蓋体の装着の構造。
【請求項３】
蓋体が、少なくともその外縁の一部と、対向する収納物出入口の開口縁間に、上方に開口した隙間を形成した状態で装着されることを特徴とする請求項１又は２記載の蓋体の装着の構造。
【請求項４】
蓋体が着脱可能に装着されることを特徴とする請求項１、２又は３記載の蓋体の装着の構造。
【請求項５】
収納物出入口が配線出入口であることを特徴とする請求項１、２、３又は４記載の蓋体の装着の構造。
【請求項６】
第１のボックス本体要素と、第１のボックス本体要素の下方に位置し該第１のボックス本体要素に支持される第２のボックス本体要素とを具備するボックス本体を、前記第１、第２のボックス本体要素間に天板の一部を挟み込んだ状態で両ボックス本体要素を連結することによって天板に支持させており、
前記第１のボックス本体要素が収納物出入口を形成していることを特徴とする請求項１、２、３、４又は５記載の蓋体の装着の構造。
【請求項７】
ボックス本体が、その上面を天板面よりも高い位置に支持されていることを特徴とする請求項６記載の蓋体の装着の構造。
【請求項８】
請求項１、２、３、４、５、６又は７記載の蓋体の装着の構造を用いた家具であって、その天板が有する開口部に設けた収納物出入口を閉止する位置に蓋体を装着してなり、
収納物出入口と蓋体間の対向両縁部近傍に、蓋体を閉止位置に保持する第１、第２の保持機構を設け、これら第１、第２の保持機構が、蓋体が収納物出入口の対向両縁部に対して両開き可能となるように、何れか一方側の保持機構の保持状態を解除した場合に、他方の保持機構により蓋体を開閉可能に支持することを特徴とする家具。
【発明の詳細な説明】
【技術分野】
【０００１】
本発明は、本発明は、机等の家具に付帯して好適に利用される蓋体の装着の構造に関するものである。
【背景技術】
【０００２】
近年、オフィスの急速なＯＡ化の進展に伴って、机上にはパソコンやワープロを始めとする各種のＯＡ機器が配置されるようになっており、これに伴って机上に配線類が乱雑に引き回される不都合が生じ、これら配線類を簡単に落とし込んで収納できるような配線収納空間を机に形成しておく必要が生じている。
【０００３】
そこで、配線収納機能を有した配線収納ボックスが開発され、利用に供されている（例えば、下記特許文献１を参照）。具体的には、天板の中央に巾方向に沿って延びる開口部を形成し、この開口部にボックス本体の配線出入口を臨ませた状態で配線収納ボックスを天板に取付け、配線の余長分などを前記配線出入口を介してボックス本体内の配線収納空間に落とし込んで収納するようにしている。
【０００４】
しかして、前記ボックス本体を天板に取り付ける場合には、ボックス本体を上方から開口部内に落とし込み、前記天板の開口部の開口縁から突出した突出体の上面に、ボックス本体の上縁に設けた鍔部を添え設けて天板にボックス本体を支持させるようにしている。
【０００５】
特に、この種の配線収納ボックスでは、前記配線出入口を開閉し得る位置に着脱可能な蓋体を設け、この蓋体を取り外すことにより、配線の余長分などを前記配線出入口を介してボックス本体内に落とし込んで収納するようにしている。
【特許文献１】特開平１１−１２７９６７号公報
【発明の開示】
【発明が解決しようとする課題】
【０００６】
本発明は、天板上から収納物を出し入れすることができるようにして使い勝手を良好なものとし得るとともに、蓋体の一縁を取り付けた状態で収納物出入口を開放できるようにすることを目的とする。
【課題を解決するための手段】
【０００７】
上記の課題を解決するべく、本発明では、収納物出入口と蓋体間の対向両縁部近傍に、蓋体を閉止位置に保持する第１、第２の保持機構を設け、これら第１、第２の保持機構が、蓋体が収納物出入口の対向両縁部に対して両開き可能となるように、何れか一方側の保持機構の保持状態を解除した場合に、他方の保持機構により蓋体を開閉可能に支持するように構成した。
【０００８】
天板に形成した開口部にボックス本体の収納物出入口を臨ませた状態で着脱可能に取り付けられる収納ボックスを、前記ボックス本体が、前記収納物出入口を形成する第１のボックス本体要素と、前記第１のボックス本体要素に支持される第２のボックス本体要素とを具備してなり、前記第１、第２のボックス本体要素間に天板の一部を挟み込んだ状態で、両ボックス本体要素を連結することにより天板に支持されるものとすると、ボックス本体を、第１、第２のボックス本体要素に分離しているので、これら第１、第２のボックス本体要素間に天板の一部を挟み込んだ状態で、両ボックス本体要素をねじ等の連結手段により連結すれば、天板にねじ孔を設ける等の加工を施すことなく、天板に対する上動を禁止した状態でボックス本体を天板に支持させることができる。特に、収納ボックスに蓋体を着脱可能に装着する場合には、蓋体の着脱作業時に、ボックス本体を上動させるような外力が働きやすいものであるが、上述したような構成のものであると、蓋体の着脱作業時にもボックス本体の上動を禁止して、その作業を円滑なものとし得る。また、ボックス本体を第１、第２のボックス本体要素に分離しているので、例えば、第１のボックス本体要素を枠体状のものに、第２のボックス本体要素を内部に収納空間を有する箱体状のものにすれば、種々の容量を有する収納ボックスが所望された場合にも、第１のボックス本体要素は同一のものを利用し、第２のボックス本体要素だけを別仕様のものを準備すれば、製造の便を向上させるとともにコストダウンをも図りながら少ない加工工数で使用者の要望にも良好に対応することが可能となる。
【０００９】
具体的な実施の形態としては、第１のボックス本体要素が、上下方向に貫通した枠体状のものであり、第２のボックス本体要素が、内部に収納空間を有する箱体状のものが挙げられる。簡単な構成で、ボックス本体を確実に天板に支持させるには、第１、第２のボックス本体要素が、それぞれ外方に突出した第１、第２の鍔部を具備してなり、これら第１、第２の鍔部間に天板の開口部から突出した突出体を挟み込んだ状態で両ボックス本体要素を連結することが望ましい。
【００１０】
好適な実施の形態としては、蓋体を具備してなり、この蓋体がボックス本体の収納物出入口を閉止する位置に着脱可能に装着されるものが挙げられる。また、開口部の対向縁部の両側から収納ボックスの収納空間内にアクセスして収納物を出し入れすることができるようにして使い勝手を良好なものとし得るとともに、蓋体の一縁をボックス本体に取り付けた状態で収納物出入口を開放できるようにするには、ボックス本体と蓋体間の対向両縁部近傍に、蓋体を閉止位置に保持する第１、第２の保持機構を設け、これら第１、第２の保持機構が、蓋体がボックス本体の対向両縁部に対して両開き可能となるように、何れか一方側の保持機構の保持状態を解除した場合に、他方の保持機構により蓋体を開閉可能に支持することが望ましい。
【００１１】
保持機構の好適な実施の形態としては、第１、第２の保持機構が、ボックス本体と蓋体の何れか一方側の対向両縁部近傍から突出した軸部と、他方側に設けてなり前記軸部を選択的に回転可能に支持する支持部とを具備してなり、前記支持部が、前記軸部を回転可能に支持する軸支持部分と、部材の弾性変形を利用して前記軸部を軸支持部分に挿入可能とするための切欠部分とを具備してなるものが挙げられる。
【００１２】
蓋体の着脱作業や開閉作業を行い易いものとするには、蓋体が、少なくともその外縁の一部と、対向するボックス本体の開口縁間に上方に開口した隙間を形成した状態で装着されることが望ましい。天板上に置いた筆記具等が誤って収納空間内に落下すること等を防止するには、ボックス本体が、その上面を天板面よりも高い位置に支持されていることが望ましい。
【００１３】
収納ボックスの好適な実施の形態としては、ボックス本体が、配線類を収納するものが挙げられる。
【発明の効果】
【００１４】
本発明は、以上説明したような構成で実施され以下に記載されるような効果を奏する。すなわち、蓋体が収納物出入口を閉止する位置に着脱可能に装着されるものであるならば、蓋体が閉止位置にあるときには、収納物を外部から隠蔽して見栄えを良好なものにするとともに収納物出入口より埃等が入りこむのを防止し、一方、蓋体を取り外して収納物出入口を開放しているときには、収納物の出し入れや、収納物の確認等が行い易いものとなる。
【００１５】
収納物出入口と蓋体間の対向両縁部近傍に、蓋体を閉止位置に保持する第１、第２の保持機構を設け、これら第１、第２の保持機構が、蓋体が収納物出入口の対向両縁部に対して両開き可能となるように、何れか一方側の保持機構の保持状態を解除した場合に、他方の保持機構により蓋体を開閉可能に支持するならば、開口部の対向縁部の両側からアクセスして収納物を出し入れすることができるようにして使い勝手を良好なものとし得る。また、蓋体の一縁側を取り付けた状態で収納物出入口を開放できるので、収納物出入作業時などに蓋体を紛失してしまう恐れがない。
【００１６】
第１、第２の保持機構が、収納物出入口と蓋体の何れか一方側の対向両縁部近傍から突出した軸部と、他方側に設けてなり前記軸部を選択的に回転可能に支持する支持部とを具備してなり、前記支持部が、前記軸部を回転可能に支持する軸支持部分と、部材の弾性変形を利用して前記軸部を軸支持部分に挿入可能とするための切欠部分とを具備してなるならば、簡単な構成で、蓋体の着脱作業及び開閉作業を円滑に行い得るものを提供することができる。
【００１７】
蓋体が、少なくともその外縁の一部と、対向する収納物出入口の開口縁間に上方に開口した隙間を形成した状態で装着されるならば、蓋体の着脱作業時や開閉作業時に、隙間内に手を入れて対応することができ、その作業が良好なものとなる。また、特に、収納ボックスが配線収納ボックスとして利用される場合には、前記隙間を介して収納空間内の配線類を天板上に引き出すことができる。
【発明を実施するための最良の形態】
【００１８】
以下、本発明の一実施例について図面を参照して説明する。本実施例では、図１に示すように、収納ボックスたる配線収納ボックス１を机２の天板２１に取り付けて使用した場合について説明する。この机２は、主としてオフィス等で利用されるもので、略矩形状の天板２１と、前記天板２１を支持する４本の支柱脚２２とを有するものである。前記天板２１は、中央部に巾方向に沿って開口する開口部２３を有し、この開口部２３の周囲にパソコン入力作業等を行う作業領域を有するものである。そして、前記開口部２３にボックス本体３の収納物出入口たる配線出入口３ａを臨ませた状態で前記配線収納ボックス１を天板２に着脱可能に取り付けるようにしている。前記開口部２３は、平面視略矩形状のものであり、図３及び図４に示すように、この開口部２３の前後の開口縁部２３ａの下端部より内方に向かって突出体たる突条２３１を突出している。なお、図３は、前記開口部２３を除く天板２１全体を想像線で示すものである。
【００１９】
配線収納ボックス１は、図２〜図４に示すように、上部に配線出入口３ａを有するボックス本体３と、前記配線出入口３ａを閉止する位置に着脱可能に装着される蓋体４とを具備しており、さらに前記ボックス本体３は、枠体状の第１のボックス本体要素５と、前記第１のボックス本体要素５に支持される箱体状の第２のボックス本体要素６と、第２のボックス本体要素６に着脱可能に装着される網棚７とを具備している。そして、本実施例では、前記第１のボックス本体要素５の前後上端部に設けた第１の鍔部たる前後鍔部５３と、第２のボックス本体要素６の前後上端部に設けた第２の鍔部たる前後鍔部６４との間に天板２１の突条２３１を挟み込んだ状態で、両ボックス本体要素５、６を連結することによりボックス本体３を天板２１に支持させるようにしている。
【００２０】
第１のボックス本体要素５は、複数の板金素材を塑性変形加工し、さらに適宜の手段で枠体状に組み合わせて構成した上下方向に貫通しているものである。この第１のボックス本体要素５は、前後壁５１と、左右側壁５２と、前記前後壁５１の上端部から外方に向かって略水平方向に突出した前後鍔部５３と、前記左右側壁５２の上端部から外方に向かって略水平方向に突出した左右鍔部５４とを具備している。前記前後鍔部５３は、前後壁５１の上端部を断面略ロ字形に折り曲げるとともに、その下方に断面略ロ字形の部材を重合させて形成したものである。なお、この前後鍔部５３の頂壁は、図４に示すように、取付位置において略水平状態で位置する水平部分５３１と、前記水平部分５３１の内側に位置し、内方に向かう程漸次下降するテーパ状の傾斜部分５３２とから構成されている。一方、左右鍔部５４は、左右側壁５２の上端部を断面略コ字形に折り曲げて形成したものである。なお、この第１のボックス本体要素５は、取付位置において、その上面５ｃを天板面２１ａよりも２ｍｍ程度高い位置に支持されている。
【００２１】
第２のボックス本体要素６は、複数の板金素材を塑性変形加工し、さらに適宜の手段で箱体状に構成した内部に配線収納空間Ｓを有するものである。この第２のボックス本体要素６は、上部を開口させてなるもので、前後壁６１と、左右側壁６２と、底壁６３と、前記前後壁６１の上縁を外方に向かって略水平方向に折り曲げ延長して形成した前後鍔部６４とを具備している。この第２のボックス本体要素６の巾寸法及び奥行寸法は、前記第１のボックス本体要素５を挿入可能なように該第１のボックス本体要素５よりも若干大きく設定されている。そして、前記第２のボックス本体要素６内に第１のボックス本体要素５を挿入した状態で両ボックス本体要素５、６の左右側壁５２、６２同士を連結し得るよう、図３に示すように、前記左右側壁６２の外面側に、第１のボックス本体要素５の左右側壁５２の前後方向２箇所に設けたねじ挿入孔５５から挿入したねじＶとねじ作用で嵌まるナット部６５と、前記第１のボックス本体要素５の左右側壁５２の前後方向略中央に設けた挿入孔５６から挿入した樹脂リベットＲの軸部ｒ１と凹凸嵌合する嵌合凹部６６を設けている。また、底壁６３の左右方向２箇所には、配線収納空間Ｓを机２の下肢空間に連通して配線類を外部に引き出し得る配線連通口６８が設けてある。
【００２２】
網棚７は、複数の線状部材７１を溶接等の適宜の手段で格子状に連結しているものである。そして、巾方向に延びる線状部材７１の端部を下方に折り曲げて折曲部７１ａを形成し、この折曲部７１ａを第２のボックス本体要素６の左右側壁６２に上下方向に等しいピッチで複数設けたスリット６７に引っ掛け、上下に高さ調整可能に支持させている。この網棚７上には、図示しない配線類やＡＣアダプタ等が載せ置かれるが、常時収納しておく配線類やＡＣアダプタ等は第２のボックス本体要素６の底壁６３上に載せ置き、随時取り出すものは、網棚７に載せ置くようにすれば、常時収納しておくものと随時取り出すものを分別して収納することができる。また、この網棚７は、線状部材７１により構成されているため、装着状態であっても配線収納空間Ｓ内の収納物の確認が行い易いものである。
【００２３】
蓋体４は、複数の板金素材を塑性変形加工して形成したもので、図２及び図４に示すように、前後面の下端部側が下方へ行くほど相寄る方向に傾斜したテーパ面となっている。この蓋体４は、閉止位置で、その前後縁部４ａ、４ｂと、対向する第１のボックス本体要素５の前後縁部５ａ、５ｂ間に巾方向に沿って開口する隙間ｓ１を形成した状態で装着されている。また、この蓋体４は、第１のボックス本体要素５の前記配線出入口３ａを閉止する位置に着脱可能且つ第１のボックス本体要素５の前後縁部５ａ、５ｂの何れか一方或いは他方を選択的に開放し得るように両開き可能に装着されている。すなわち、第１のボックス本体要素５と蓋体４間の前後両縁部近傍に、蓋体４を閉止位置に保持する第１、第２の保持機構８Ａ、８Ｂを設け、これら第１、第２の保持機構８Ａ、８Ｂが、何れか一方側の保持機構の保持状態を解除した場合に、他方の保持機構により蓋体４を開閉可能に支持するものである。
【００２４】
第１の保持機構８Ａは、第１のボックス本体要素５の左右側壁５２の前縁部５ａ側近傍から左右に対をなして突出した軸部８１と、蓋体４の前縁部４ａ側の下面から垂下してなり前記軸部８１を選択的に回転可能に支持する支持部８２とを具備してなる。一方、第２の保持機構８Ｂは、第１のボックス本体要素５の左右側壁５２の後縁部５ｂ側近傍から左右に対をなして突出した軸部８１と、蓋体４の後縁部４ｂ側の下面から垂下してなり前記軸部８１を選択的に回転可能に支持する支持部８２とを具備してなる前記第１の保持機構８Ａと同様の構成を有するものである。
【００２５】
支持部８２は、弾性変形可能な合成樹脂などの素材により形成されているものである。この支持部８２は、その軸心を前記軸部８１に一致させた円筒状のものであり、前記軸部８１を回転可能に支持する軸支持部分８２１と、部材の弾性変形を利用して前記軸部８１を軸支持部分８２１に挿入可能とするための切欠部分８２２とを具備してなる。具体的には、このものは、切欠部分８２２の開口幅を奥の軸支持部分８２１の内径よりも小さくしておき、部材の一時的な弾性変形を利用して前記軸部８１を前記軸支持部分８２１に係り合わせるようにしている。
【００２６】
次に、この配線収納ボックス１を天板２１に設けた開口部２３に取り付ける場合の手順について説明する。先ず、図５に示すように、第１のボックス本体要素５を天板２１の上方から開口部２３内に挿入し、その前後鍔部５３の下面が前記突条２３１の上面に添え設けられる位置まで下方に落とし込み、前記前後鍔部５３を突条２３１に支持させる。
【００２７】
次に、第２のボックス本体要素６を天板２１の下方から前記突条２３１の下面に近づけ、第２のボックス本体要素６内に第１のボックス本体要素５の下端部を挿入した状態で、両ボックス本体要素５、６の前後鍔部５３、６４間に前記突条２３１を挟み込み、第１のボックス本体要素５の左右側壁５２に設けた挿入孔５６と、第２のボックス本体要素６の左右側壁６２に設けた嵌合凹部６６の軸心を略一致させた状態で、図６に示すように、樹脂リベットＲの軸部ｒ１を前記嵌合凹部６６内に圧入し、第１のボックス本体要素５に第２のボックス本体要素６を仮保持させる。しかる後、第１のボックス本体要素５の内側からねじ挿入孔５５を介して挿入したねじＶを第２のボックス本体要素のナット部Ｎに締結して、両ボックス本体要素５、６を連結し、天板２にボックス本体３を支持させる。
【００２８】
さらに、蓋体４を前記ボックス本体３に取り付け、閉止位置に保持するには、蓋体４の下面に設けた第１、第２の保持機構８Ａ、８Ｂの４箇所の支持部８２の全てにおいて、その切欠部分８２２から部材の弾性変形を利用して前記軸部８１を軸支持部分８２１内に挿入し、該軸部８１に支持部８２を保持させる。一方、第１のボックス本体要素５の前後縁部５ａ、５ｂの何れか一方、例えば後縁部５ｂ側を開放して天板２１の後縁側から配線作業を行いたい場合には、部材の弾性変形を利用して後縁部５ｂ側に設けてある第２の保持機構８Ｂの軸部８１と支持部８２との係り合いを解除し、図８中実線で示すように、前縁部５ａ側に設けた第１の保持機構８Ａの軸部８１に対して支持部８２を介し蓋体４を回転させることにより、後縁部５ｂ側を開放することができる。逆に、前縁部５ａ側を開放して天板２１の前縁側から配線作業を行いたい場合には、部材の弾性変形を利用して前縁部５ａ側に設けてある第１の保持機構８Ａの軸部８１と支持部８２との係り合いを解除し、図８中想像線で示すように、後縁部５ｂ側に設けた第２の保持機構８Ｂの軸部８１に対して支持部８２を介し蓋体４を回転させることにより、前縁部５ａ側を開放することができる。
【００２９】
このような構成のものであると、ボックス本体３を、第１、第２のボックス本体要素５、６に分離しているので、これら第１、第２のボックス本体要素５、６間に天板２１の突条２３１を挟み込んだ状態で、両ボックス本体要素５、６を連結すれば、天板２１にねじ孔を設ける等の加工を施すことなく、天板２１に対する上動を禁止した状態でボックス本体３を天板２１に支持させることができる。特に、本実施例のようにボックス本体３に蓋体４を着脱可能且つ開閉可能に装着する場合には、蓋体４の着脱作業や開閉作業時に、ボックス本体３を上動させるような外力が働きやすいものであるが、このような蓋体４の着脱作業時にもボックス本体３の上動を禁止して、蓋体４の着脱作業や開閉作業を円滑なものとすることができる。また、本実施例では、第１、第２のボックス本体要素５、６を連結する際に、樹脂リベットＲだけでなく、ねじＶで止めるようにしているので、第２のボックス本体要素６を確実に第１のボックス本体要素５に支持させ、その落下を防止することができる。
【００３０】
さらに、枠体状の第１のボックス本体要素５と、配線収納空間Ｓを有している箱体状の第２のボックス本体要素６とを分離しているので、例えば、種々の容量を有する配線収納ボックス１が所望された場合にも、第１のボックス本体要素５は同一のものを利用し、比較的簡単な加工で製造できる第２のボックス本体要素６だけを交換すればよい。したがって、製造の便を向上させるとともにコストダウンをも図りながら、使用者の要望に良好に対応することができる。
【００３１】
第１、第２のボックス本体要素５、６が、それぞれ外方に突出した前後鍔部５３、６４を具備してなり、これら前後鍔部５３、６４間に天板２１の開口部２３から突出した突条２３１を挟み込んだ状態で両ボックス本体要素５、６を連結しているので、簡単な構成で確実且つ安定的にボックス本体３を天板２１に支持させることができる。
【００３２】
蓋体４を具備してなり、この蓋体４がボックス本体３の収納物出入口３ａを閉止する位置に着脱可能に装着されるものであるので、図７中実線で示すように蓋体４が閉止位置にあるときには、配線収納空間Ｓ内の配線類Ｈを外部から隠蔽して見栄えを良好なものにするとともに配線収納空間Ｓ内に埃等が入りこむのを防止し、一方、ＡＣアダプタ等の比較的大きな収納物を出し入れするときは図７中想像線で示すように蓋体４を取り外して収納物出入口３ａを開放して配線作業を行い、配線収納空間Ｓ内の配線替えや点検作業を良好に行うことができる。
【００３３】
第１のボックス本体要素５と蓋体４間に、蓋体４を閉止位置に保持する第１、第２の保持機構８Ａ、８Ｂを設け、これら第１、第２の保持機構８Ａ、８Ｂが、蓋体４が第１のボックス本体要素５の前後縁部５ａ、５ｂに対して両開き可能となるように、何れか一方側の保持機構の保持状態を解除した場合に、他方の保持機構により蓋体４を開閉可能に支持するので、天板２１の前後縁部の両側から配線収納ボックス１の配線収納空間Ｓ内にアクセスして配線類やＡＣアダプタなどを出し入れすることができるようにして使い勝手を良好なものとし得る。また、蓋体４の一縁側をボックス本体３に支持させた状態で配線出入口３ａを開放できるので、配線替えや点検作業時に蓋体４を紛失してしまう恐れがない。
【００３４】
第１、第２の保持機構８Ａ、８Ｂが、第１のボックス本体要素５の前後縁部５ａ、５ｂ近傍から突出した軸部８１と、蓋体４側に設けてなり前記軸部８１を選択的に回転可能に支持する支持部８２とを具備してなり、前記支持部８２が、前記軸部８１を回転可能に支持する軸支持部分８２１と、部材の弾性変形を利用して前記軸部８１を軸支持部分８２１に挿入可能とするための切欠部分８２２とを具備してなるので、簡単な構成で、蓋体４の着脱作業及び開閉作業を円滑に行い得るものを提供することができる。
【００３５】
蓋体４が、その前後縁４ａ、４ｂと、対向する第１のボックス本体要素５の前後縁部５ａ、５ｂ間に上方に開口した隙間ｓ１を形成した状態で装着されるので、蓋体４の着脱作業時や開閉作業時に、隙間ｓ１内に手を入れて作業を行うことができる。また、図１及び図７に示すように前記隙間ｓ１を介して配線収納空間Ｓ内の配線類Ｈを天板２１上に引き出すことができる。
【００３６】
また、この場合に、本実施例では、前後鍔部５３の頂壁の内側が、上方に行くほど配線出入口３ａの開口面積が大きくなるように傾斜したテーパ状の傾斜部分５３２であり、さらに蓋体４も下端部にテーパ面を有しているので、隙間ｓ１の開口巾が広くなり、着脱作業時や開閉作業時に指を挿入しやすいだけでなく、配線類Ｈの引出し作業も前記傾斜部分５３２に沿わせて行えば非常に行い易いものとなる。また、このような構成であると、保持機構８を利用して蓋体４を開く際に、より大きな角度で開くことが可能となることは勿論、図８に示すように、蓋体４を前記傾斜部分５３２で開成位置に保持することができる。
【００３７】
第１のボックス本体要素５が、その上面５ｃを天板面２１ａよりも若干高い位置に支持されているので、天板面２１ａに置いた筆記具等が誤って前記隙間ｓ１等を介して配線収納空間Ｓ内に落下することを防止することができる。なお、本発明における構成は、以上説明したものに限定されないのは勿論である。例えば、収納ボックスは、配線収納用のものに限定されず、例えば、筆記具等の文房具を収納するものであってもよいのは勿論である。また、第１、第２のボックス本体要素の構成も上述したものに限定されない。さらに、本実施例では、前記隙間ｓ１を、ボックス本体３の巾方向略全域に亘って設けているが、この隙間ｓ１を部分的に設けるようにしてもよい。その他の構成も本発明の趣旨を逸脱しない範囲で種々変形が可能である。
【図面の簡単な説明】
【００３８】
【図１】本発明の一実施例を示す全体斜視図。
【図２】同要部を示す斜視図。
【図３】同要部を示す分解斜視図。
【図４】同側断面図。
【図５】同作用説明図。
【図６】同取付方法を示す斜視図。
【図７】同作用説明図。
【図８】同作用説明図。
【符号の説明】
【００３９】
１…収納ボックス（配線収納ボックス）
２１…天板
２１ａ…天板面
２３…開口部
３…ボックス本体
３ａ…収納物出入口（配線出入口）
４…蓋体
４ａ…外縁（前縁部）
４ｂ…外縁（後縁部）
５…第１のボックス本体要素
５ａ…縁部（前縁部）
５ｂ…縁部（後縁部）
５３…前後鍔部
６…第２のボックス本体要素
６４…前後鍔部
８Ａ…第１の保持機構
８Ｂ…第２の保持機構
８１…軸部
８２…支持部
８２１…軸支持部分
８２２…切欠部分
Ｓ…収納空間（配線収納空間）
ｓ１…隙間
Ｈ…配線類
【図１】
2004298657.tif 000003
【図２】
2004298657.tif 000004
【図３】
2004298657.tif 000005
【図４】
2004298657.tif 000006
【図５】
2004298657.tif 000007
【図６】
2004298657.tif 000008
【図７】
2004298657.tif 000009
【図８】
2004298657.tif 000010